(57)【要約】      （修正有）【課題】様々なデザインのかみそり刃キャリアとかみそりハンドルとを一緒に使用できるような装置を提供する。【解決手段】かみそりハンドルと共に使用するための、かみそりカートリッジが開示され、かみそりハンドルにはその片端からハンドル係合部材が延設される。かみそりカートリッジはかみそり刃キャリア３０を備え、同かみそり刃キャリアはキャリア係合部材を有すると共にアダプタユニット１０を有し、同アダプタユニットは第１の側部と第２の側部とを有する。アダプタユニット１０の第１の側部にはキャリア係合部材と嵌合結合するアダプタ係合部材を有し、アダプタ係合部材とキャリア係合部材との少なくとも一方は弾性的に製造して、アダプタ係合部材とキャリア係合部材とは着脱不能な係合に互いにスナップ結合される。アダプタユニット１０の第２の側部にはかみそりカートリッジをハンドル係合部材と着脱自在に結合するための手段を有する。【選択図】図３
2005040617.tif 000002
【特許請求の範囲】
【請求項１】
かみそりハンドルの一端にハンドル係合部材が延設された上記かみそりハンドルと共に使用するかみそりカートリッジであって、このかみそりカートリッジが、
キャリア係合部材を有するかみそり刃キャリアと、
第１の側部と第２の側部とを有するアダプタユニットと、
を備え、
前記アダプタユニットの前記第１の側部は、前記アダプタユニットを前記かみそり刃キャリアに取付けるために、前記キャリア係合部材とスナップ結合する形状にされた第１アダプタ係合部材を有し、
前記アダプタユニットの前記第２の側部は、前記ハンドル係合部材に結合する形状にされた第２アダプタ係合部材を有し、
それにより、ハンドル係合部材が前記アダプタユニットを介して前記かみそり刃キャリアに結合されることを特徴とするかみそりカートリッジ。
【請求項２】
前記第１アダプタ係合部材が、前記キャリア係合部材と着脱不能な係合にスナップ結合される請求項１記載のかみそりカートリッジ。
【請求項３】
前記アダプタ係合部材及び前記キャリア係合部材の少なくとも１つが、弾性的に変形可能である請求項１又は請求項２記載のかみそりカートリッジ。
【請求項４】
前記キャリア係合部材は１又は複数の爪を備え、前記第１アダプタ係合部材は細長い突起部を備えている請求項１乃至請求項３の何れか１項に記載のかみそりカートリッジ。
【請求項５】
前記キャリア係合部材は１又は複数のスロットを備え、前記第１アダプタ係合部材は１又は複数のタブを備えている請求項１乃至請求項３の何れか１項に記載のかみそりカートリッジ。
【請求項６】
前記第２アダプタ係合部材が、前記ハンドル係合部材とピボット結合する形状にされ、それにより、前記ハンドル係合部材が、前記アダプタユニットを介して前記かみそり刃キャリアに結合される請求項１乃至請求項５の何れか１項に記載のかみそりカートリッジ。
【請求項７】
前記第２アダプタ係合部材が、前記ハンドル係合部材の丸くなった突起に対応し、それを受け入れる形状にされた少なくとも１つのソケットを備えている請求項６記載のかみそりカートリッジ。
【請求項８】
前記少なくとも１つのソケットは複数の弾性的な指部を備えている請求項７記載のかみそりカートリッジ。
【請求項９】
前記第２アダプタ係合部材が、前記ハンドル係合部材のボール状の突起部に対応し、それを受け入れる形状にされたソケットを備え、それにより前記ハンドル係合部材と前記第２のアダプタ係合部材とが係合するとき、前記ボール状の突起部と前記ソケットとがピボット自在な玉継手を形成する請求項６記載のかみそりカートリッジ。
【請求項１０】
前記ソケットが複数の弾性的な指部を備えている請求項９記載のかみそりカートリッジ。
【請求項１１】
前記アダプタユニットが、前記ハンドルと前記アダプタユニットが係合したとき、ハンドルの中央の突出した舌部を緩く受け入れるためのソケットを有し、前記舌部と前記ソケットが協働して、前記かみそりカートリッジに対する前記ハンドルのピボット範囲を制限する請求項６記載のかみそりカートリッジ。
【請求項１２】
前記キャリア係合部材と前記ハンドル係合部材が、直接的に結合可能でない請求項１乃至請求項１１の何れか１項に記載のかみそりカートリッジ。
【請求項１３】
前記第１アダプタ係合部材が、前記キャリア係合部材に嵌合結合する請求項１記載のかみそりカートリッジ。
【請求項１４】
前記アダプタがプラスチックの部品である請求項１乃至請求項１３の何れか１項に記載のかみそりカートリッジ。
【請求項１５】
前記アダプタユニットが射出成形された部品である請求項１４記載のかみそりカートリッジ。
【請求項１６】
かみそりハンドルの一端にハンドル係合部材が延設された上記かみそりハンドルと共に使用するかみそりカートリッジであって、このかみそりカートリッジが、
かみそり刃キャリアに第１のキャリア係合部材と第２のキャリア係合部材とを有する上記かみそり刃キャリアであって、前記第２のキャリア係合部材が前記ハンドル係合部材とピボット係合するための形状にされた上記かみそり刃キャリアと、
第１の側部と第２の側部とを有するアダプタユニットと、
を備え、
前記アダプタユニットの前記第１の側部は、前記アダプタユニットを前記かみそり刃キャリアに取付けるために、前記第１のキャリア係合部材とスナップ結合するための形状にされたアダプタ係合部材を有し、
前記アダプタユニットの前記第２の側部には開口が形成され、この開口は前記ハンドル係合部材を、前記第２のキャリア係合部材とのピボット係合に案内し、
それにより、前記ハンドル係合部材が前記アダプタユニットを介して前記かみそり刃キャリアに結合することを特徴とするかみそりカートリッジ。
【請求項１７】
前記第１アダプタ係合部材が、前記キャリア係合部材と着脱不能な係合にスナップ結合される形状にされた請求項１６記載のかみそりカートリッジ。
【請求項１８】
前記アダプタ係合部材及び前記キャリア係合部材の少なくとも１つが、弾性的に変形可能である請求項１６又は請求項１７記載のかみそりカートリッジ。
【請求項１９】
前記第１のキャリア係合部材は１又は複数の爪を備え、前記アダプタ係合部材は細長い突起部を備えている請求項１６乃至請求項１８の何れか１項に記載のかみそりカートリッジ。
【請求項２０】
前記第１のキャリア係合部材は１又は複数のスロットを備え、前記アダプタ係合部材は１又は複数のタブを備えている請求項１６乃至請求項１８の何れか１項に記載のかみそりカートリッジ。
【請求項２１】
前記アダプタユニットは、前記ハンドルと共に使用するために前記かみそりカートリッジに適合する形態にされ、前記ハンドルは、前記かみそり刃キャリアに対してハンドルが回動するピボット軸を構成する外方に延びるピンを備えた２つのアーム部材と、この２つのアーム部材の間の中央のスプリング負荷の舌部とを有し、
前記アダプタユニットの前記第２の側部の前記開口は、前記ハンドルの各アーム部材のための開口を含み、
前記アダプタユニットは、前記第２の側部の前記開口の間に延びる底側を有し、前記ハンドルと前記アダプタユニットとが係合したときに、前記中央のスプリング負荷の舌部が前記アダプタユニットの前記底側と協働して、前記ハンドルに対して回動した後、前記かみそり刃キャリアを休息位置に戻す請求項１６乃至請求項２０の何れか１項に記載のかみそりカートリッジ。
【請求項２２】
前記アダプタユニットはプラスチックの部品である請求項２１記載のかみそりカートリッジ。
【請求項２３】
前記アダプタユニットは射出成形された部品である請求項２２記載のかみそりカートリッジ。
【請求項２４】
かみそり刃キャリアとかみそりハンドルとを着脱自在に結合するためのアダプタユニットであって、前記かみそり刃キャリアはキャリア係合部材を有すると共に前記かみそりハンドルはハンドル係合部材を有するような上記アダプタユニットであり、前記アダプタユニットが、
第１の側部と第２の側部とを有するベースを備え、
前記第１の側部は、前記ベースをかみそり刃キャリアに取付けるために、前記キャリア係合部材とスナップ結合するための形状にされたアダプタ係合部材を有し、
前記第２の側部は、かみそりハンドルのハンドル係合部材と結合するための形状にされ、前記かみそり刃キャリアは、ハンドル係合部材と前記ベースの前記第２の側部との結合の際に、かみそりハンドルと結合されることを特徴とするアダプタユニット。
【請求項２５】
前記アダプタユニットの前記第１の側部が、前記キャリア係合部材と着脱不能な係合にスナップ結合される形状にされた請求項２４記載のアダプタユニット。
【請求項２６】
前記アダプタ係合部材及び前記キャリア係合部材の少なくとも１つが、弾性的に変形可能である請求項２４又は請求項２５に記載のアダプタユニット。
【請求項２７】
前記第２のアダプタ係合部材が前記ハンドル係合部材とピボット結合するための形状にされた請求項２４乃至請求項２６の何れか１項に記載のアダプタユニット。
【請求項２８】
前記ハンドル係合部材を前記第２のキャリア係合部材とピボット係合するように案内するための開口が、前記ベースの前記第２の側部に形成され、その結果、前記開口を通したハンドル係合部材の挿入がハンドル係合部材と前記かみそり刃キャリアの結合を可能にする請求項２４乃至請求項２７の何れか１項に記載のアダプタユニット。
【発明の詳細な説明】
【技術分野】
【０００１】
本発明は、アダプタユニットがかみそり刃キャリアとかみそりハンドル係合部材とのインタフェースを備えたひげ剃りかみそりの構造に関する。
【背景技術】
【０００２】
ひげ剃りかみそりのメーカーはさまざまな設計のひげ剃りかみそりを製造する。特に、かみそり刃キャリアとかみそりハンドルとの相互結合に関しては多くの設計が開発されている。多くの情況において、メーカーにとって、様々な設計のかみそり刃キャリアとかみそりハンドルとを一緒に使用できることは有利だろう。
【発明の開示】
【発明が解決しようとする課題】
【０００３】
例えば製造効率のためにも、メーカーにとって、標準化されたかみそり刃キャリアを多彩な設計のかみそりハンドルと共に使用できたり、標準化されたかみそりハンドルを多彩な設計のかみそり刃キャリアと共に使用できたりすれば有利だろう。さらにメーカーにとっては、商業的に入手可能な様々な設計のかみそり刃キャリアと互換性のあるような標準化されたかみそりハンドルを生産することは商業的に魅力的だろう。さらにメーカーにとっては、より旧式の設計のかみそり刃キャリアの寿命を伸ばすのために、より旧式の設計のかみそり刃キャリアと共に新しい設計のかみそりハンドルを使用できれば有利だろう。そのうえメーカーにとっては、より旧式の設計のかみそりハンドルと共に新しい設計のかみそり刃キャリアを使用すれば、新しい設計のかみそり刃キャリアへの移行を容易にするうえでも有利だろう。
従って、様々なデザインのかみそり刃キャリアとかみそりハンドルとを一緒に使用できるような装置及び方法に対する要求が存在する。
【課題を解決するための手段】
【０００４】
本発明の好ましい実施形態によれば、かみそりハンドルの一端にハンドル係合部材が延設された上記かみそりハンドルと共に使用するかみそりカートリッジが提供される。かみそりカートリッジは、キャリア係合部材を有するかみそり刃キャリアと、第１の側部と第２の側部とを有するアダプタユニットとを含む。アダプタユニットの第１の側部にはキャリア係合部材と嵌合結合するアダプタ係合部材を有する。アダプタ係合部材とキャリア係合部材との少なくとも一方は弾性的に製造して、アダプタ係合部材とキャリア係合部材とを着脱不能な係合に互いにスナップ結合する。アダプタユニットの第２の側部はかみそりカートリッジをハンドル係合部材に着脱自在に結合するための手段を有する。
【０００５】
本発明のアダプタユニットを用いることで、ひげ剃りかみそりのメーカーは、標準化されたかみそり刃キャリアをひげ剃りかみそりの様々なモデルのすべてのために大量生産できて、異なったアダプタユニットを使用して標準化されたかみそり刃キャリアを異なった設計のかみそりハンドル係合部材に適合させることができて有利である。標準化されたかみそり刃キャリアを大量規模で生産する経済性のために、典型的には、本発明の比較的簡単なアダプタユニットを生産するために増加する費用は十分に補なわれるので、メーカーは異なったデザインのかみそりを製造する総合的なコストを減少できる。
かみそりカートリッジのキャリア係合部材は１又は複数の爪を備え、アダプタ係合部材は細長い突起部を備える。他の例では、キャリア係合部材は１又は複数のスロットを備え、アダプタ係合部材は１又は複数のタブを備える。
【０００６】
本発明の他の好ましい実施形態によれば、かみそりハンドルの一端にハンドル係合部材が延設された上記かみそりハンドルと共に使用するかみそりカートリッジが提供される。かみそりカートリッジは、キャリア係合部材を有するかみそり刃キャリアと、第１の側部と第２の側部とを有するアダプタユニットとを含む。アダプタユニットの第１の側部にはキャリア係合部材と嵌合結合する第１のアダプタ係合部材を有し、第１のアダプタ係合部材とキャリア係合部材との少なくとも一方は弾性的に製造され、第１のアダプタ係合部材とキャリア係合部材とは着脱不能な係合に互いにスナップ結合される。アダプタユニットの第２の側部はハンドル係合部材とピボット結合する第２のアダプタ係合部材を有し、第２のアダプタ係合部材とハンドル係合部材との少なくとも一方は弾性的に製造され、第２のアダプタ係合部材とハンドル係合部材とは回動自在な係合に互いにスナップ結合される。
【０００７】
かみそり刃キャリアのキャリア係合部材は１又は複数の爪を備え、第１のアダプタ係合部材は細長い突起部を備える。他の例では、キャリア係合部材は１又は複数のスロットを備えても良く、第１のアダプタ係合部材は１又は複数のタブを備えても良い。
【０００８】
アダプタユニットの第２のアダプタ係合部材はハンドル係合部材から着脱可能であるか又は着脱不能である。さらに、ハンドル係合部材は丸い端部を有する突起部を備えると良く、第２のアダプタ係合部材は突起部を受けるためのソケットを備えると良い。ソケットには複数の弾性的な指部を備えるのが好ましい。
【０００９】
さらに他の好ましい実施形態によれば、その一端にハンドル係合部材が延設されているかみそりハンドルと共に使用するかみそりカートリッジが提供される。かみそりカートリッジは第１及び第２のキャリア係合部材を有するかみそり刃キャリアを含む。第２のキャリア係合部材はハンドル係合部材とピボット係合可能である。かみそりカートリッジはまた、第１の側部と第２の側部とを有するアダプタユニットを含み、第１の側部は第１のキャリア係合部材と嵌合結合するアダプタ係合部材を有し、アダプタ係合部材と第１のキャリア係合部材との少なくとも一方は弾性的に製造され、アダプタ係合部材と第１のキャリア係合部材とは着脱不能な係合に互いにスナップ結合される。アダプタユニットの第２の側部はハンドル係合部材が第２のキャリア係合部材とピボット係合するように前記ハンドル係合部材を案内するための開口を有する。
【００１０】
第１のキャリア係合部材は１又は複数の爪を備え、アダプタ係合部材は細長い突起部を備えると良い。さらに、第１のキャリア係合部材は１又は複数のスロットを備えると良く、アダプタ係合部材は１又は複数のタブを備えると良い。開口はテーパーの付いた内壁を備えるのが好ましい。
【００１１】
上述した各実施形態において、かみそりハンドルは中央の突出した舌部を有すると良く、アダプタユニットは舌部をゆるく受け入れるソケットを有すると良くて、ハンドルとアダプタユニットとが係合したときに、中央の突出した舌部とソケットとが協同して、かみそりカートリッジに対するハンドルの回動範囲を制限する。
本発明のアダプタユニットは有利には射出成形されていて、プラスチックの部品である。
【００１２】
本発明の他の見地によれば、第１のかみそりハンドルと第２のかみそりハンドルと共に使用するためのかみそりカートリッジの製造方法が提供される。方法は、実質的に同じである第１及び第２のキャリア係合部材をそれぞれ有している第１及び第２の実質的に同じであるかみそり刃キャリアを製造する段階と、２つの側部を有する第１のアダプタユニットを製造する段階であって、第１の側部には第１のキャリア係合部材と結合可能な第１のアダプタ係合部材を有し、第１のアダプタ係合部材と第１のキャリア係合部材との少なくとも一方を弾性的に製造して、第２の側部には第１のかみそりカートリッジを第１のかみそりハンドルに着脱自在に結合するための手段を有するような段階と、２つの側部を有する第２のアダプタユニットを製造する段階であって、第１の側部には第２のキャリア係合部材と結合可能な第２のアダプタ係合部材を有し、第２のアダプタ係合部材と第２のキャリア係合部材との少なくとも一方を弾性的に製造して、第２の側部には第２のかみそりカートリッジを第２のかみそりハンドルに着脱自在に結合するための手段を有するような段階とを備えている。好ましくは、この方法は、第１のアダプタ係合部材と第１のキャリア係合部材との弾性的にもたらされる協同によって、第１のアダプタユニットが第１のかみそり刃キャリアと係合するように、第１のかみそりハンドルと共に使用するための第１のかみそりカートリッジを形成する段階と、第２のアダプタ係合部材と第２のキャリア係合部材との弾性的にもたらされる協同によって、第２のアダプタユニットが第２のかみそり刃キャリアと係合するように、第２のかみそりハンドルと共に使用するための第２のかみそりカートリッジを形成する段階とを含む。
【００１３】
また、本発明の他の見地によれば、第１のかみそり刃キャリアと第２のかみそり刃キャリアと共に使用するためのかみそりハンドルの製造方法が提供される。第１のかみそり刃キャリアは第１のキャリア係合部材を有すると共に、第２のかみそり刃キャリアは第２のキャリア係合部材を有する。方法は第１に、実質的に同じである第１及び第２のかみそりハンドル係合部材をそれぞれ有している第１及び第２の実質的に同じであるかみそりハンドルを製造する段階を含む。方法は第２に、２つの側部を有する第１のアダプタユニットを製造する段階であって、第１の側部には第１のキャリア係合部材と結合可能な第１のアダプタ係合部材を有し、第１のアダプタ係合部材と第１のキャリア係合部材との少なくとも一方を弾性的に製造して、第２の側部には第１のキャリア係合部材と結合可能な第２のアダプタ係合部材を有し、第２のアダプタ係合部材と第１のキャリア係合部材との少なくとも一方を弾性的に製造するような段階を含む。方法は第３に、２つの側部を有する第２のアダプタユニットを製造する段階であって、第１の側部には第２のハンドル係合部材と結合可能な第３のアダプタ係合部材を有し、第３のアダプタ係合部材と第２のハンドル係合部材との少なくとも一方を弾性的に製造して、第２の側部には第２のキャリア係合部材と結合可能な第４のアダプタ係合部材を有し、第４のアダプタ係合部材と第２のキャリア係合部材との少なくとも一方を弾性的に製造するような段階を備える。好ましくは、この方法はまた、第１のアダプタ係合部材と第１のハンドル係合部材との弾性的にもたらされる協同によって、第１のアダプタユニットを第１のかみそりハンドルと係合させる段階と、第３のアダプタ係合部材と第２のハンドル係合部材との弾性的にもたらされる協同によって、第２のアダプタユニットを第２のハンドルと係合させる段階とを含む。
【発明を実施するための最良の形態】
【００１４】
図１及び図２は、本発明の第１の好ましい実施形態によるアダプタユニット１０を示す斜視図である。アダプタユニット１０は細長い略矩形のベース１２を含み、このベースは底側１４ａと上側１４ｂとを有する。
【００１５】
底側１４ａは２つのグループの弾性的な指部１６ａ及び１６ｂを含み、これらの指部はベース１２の長手軸線の両端部に配置される。２つのグループの弾性的な指部１６ａ及び１６ｂはそれぞれ２つの球状形の空洞２６ａ及び２６ｂの境界を形成する。球状形の空洞２６ａ及び２６ｂの位置とサイズによっては、底側１４ａは丸い窪みをさらに含み、この窪みは球状形の空洞の境界の輪郭を描く。図示のように、各グループには弾性的な指部を４本設けるのが好ましいが、球状形の空洞の境界を形成するならばどんな本数の指部であっても使用できる。また、底側１４ａは中央のソケット１８を含む。中央のソケット１８は切込み２０を含み、この切込みは底側１４ａの平面に対して垂直に延びている。
【００１６】
上側１４ｂは突起部を含み、これらの突起部は前記上側の長手縁部から外向きへ突出している。上側１４ｂの一方の長手縁部の長さに沿って細長い突起部２２が配置される。上側１４ｂのもう一方の長手縁部に沿って図２に示す如く一対の突起タブ２４ａ及び２４ｂが配置される。図２に示すように、ベース１２の長手軸線の両端部にはタブ２４ａ及び２４ｂが配置される。また、上側１４ｂは一対の突起部２８ａ及び２８ｂを含み、これらの突起部は上側１４ｂから突出して上側１４ａの長手縁部に対して垂直に延びている。
【００１７】
図３乃至図６は、ひげ剃りかみそりの斜視図を示しており、標準化されたかみそり刃キャリア３０と、図１及び図２に示したアダプタユニット１０と、かみそりハンドル端部５０とを含む。図３及び図４には、かみそり刃キャリア３０とアダプタユニット１０とかみそりハンドル端部５０とが係合する前における、ひげ剃りかみそりを示している。図５及び図６には、かみそり刃キャリア３０とアダプタユニット１０とハンドル端部５０とが一緒に係合した状態における、ひげ剃りかみそりを示している。
【００１８】
これらの図に示すように、かみそり刃キャリア３０は細長くて略矩形の構造である。長手の軸線はかみそり刃キャリアに収容されている１枚の刃又は複数の刃（刃は図示しない）の刃先に対して平行である。かみそり刃キャリア３０は当業者に特徴が良く知られた任意の刃、ガード、及びキャップ（図示せず）を含んでも良い。図３を参照すると、かみそり刃キャリア３０は底ベース３２を含み、この底ベースの周りには弾性的な縁部４４が形成されている。ベース３２の中心には台座状の突起部３４がベース３２から突出している。台座状の突起部３４は、アダプタユニット１０上の突起部２８ａ及び２８ｂの間に適合するように形成される。
【００１９】
台座状の突起部３４のいずれかの側には一対の支持構造４０ａ及び４０ｂがベース３２から突設されている。図３に最良に示されるように、かみそり刃キャリア３０の片方の長手縁部に沿って、縁部４４には複数の爪３６が配置される。図４に最良に示されるように、支持構造４０ａ及び４０ｂのそれぞれには、かみそり刃キャリア３０の爪３６とは反対の側部において、一対のスロット３８ａ及び３８ｂが形成される。図３及び図４を参照すると、標準化されたかみそり刃キャリア３０はさらに支持構造４０ａ及び４０ｂにそれぞれ形成された一対の円筒状のシャフト４２ａ及び４２ｂを含み、これらは共にある種の設計のハンドルのためのかみそり刃キャリア３０用にピボット軸線を形成する。円筒状のシャフト４２ａ及び４２ｂは図３乃至図６の実施形態では利用されないが、後述の実施形態において利用される。
【００２０】
図３乃至図６の実施形態では、かみそりハンドル端部５０は２つのアーム５４ａ及び５４ｂに分岐して、これらはＶ字形を形成する。２つのアーム５４ａ及び５４ｂはそれらの外側端部にて橋部分６２によって結合される。各アーム５４ａ及び５４ｂはその端部にそれぞれボール状の突起部５６ａ及び５６ｂを含む。橋部分６２は中央の突出した舌部５８を含み、その断面はＴ字形である。
【００２１】
アダプタユニット１０をかみそり刃キャリア３０と係合するために、アダプタユニット１０のタブ２４ａ及び２４ｂはかみそり刃キャリア３０のスロット３８ａ及び３８ｂの中にそれぞれ配置される。それからアダプタユニット１０は、タブ２４ａ及び２４ｂが配置されている長手縁部を中心として回動して、細長い突起部２２が爪３６と接触する。その後で、アダプタユニット１０に押圧力を加えると、爪３６に対する細長い突起部２２のカム作用によって爪３６と縁部４４とは外側へ押される。細長い突起部２２が爪３６を通過した後には爪３６と縁部４４とがそれらの本来の位置へと復帰して、アダプタユニット１０をかみそり刃キャリア３０にロックして、それによりかみそりカートリッジを形成する。この手順中に、かみそり刃キャリア３０の台座状の突起部３４はアダプタユニット１０の突起部２８ａ及び２８ｂと協同してアダプタユニット１０を所定位置に案内して安定させる。
【００２２】
いったんアダプタユニット１０がかみそり刃キャリア３０と係合すると、アダプタユニット１０によって形成されたかみそりカートリッジは、ハンドル端部５０のボール状の突起部５６ａ及び５６ｂがアダプタユニット１０の弾性的な指部１６ａ及び１６ｂのグループのそれぞれによって形成されている球状の空洞２６ａ及び２６ｂとスナップ結合して、ハンドル端部５０と係合できることがわかるだろう。いったん係合するとボール状の突起部５６ａ及び５６ｂと弾性的な指部のグループ１６ａ及び１６ｂとは一対の玉継手を形成する。さらに、Ｔ字形の舌部５８がソケット１８の切込み２０と協同して、かみそりハンドル端部５０がアダプタユニット１０とひげを剃るための正しい向きになるように案内しながらハンドル端部５０の舌部５８がアダプタユニット１０のソケット１８に収まる。好ましくは、ソケット１８を舌部５８よりもわずかに広くして、舌部５８とソケット１８との間に遊びをもたせる余地を残し、かみそり刃キャリア３０とアダプタユニット１０とから構成されるかみそりカートリッジが玉継手によって回動できるようにする。ソケット１８と舌部５８の間の遊びはかみそりカートリッジの回動範囲を定める。
【００２３】
図７及び図８は、本発明の第２の好ましい実施形態によるアダプタユニット１１０を示す斜視図である。アダプタユニット１１０は細長い略矩形のベース１１２を含み、このベースは底側１１４ａと上側１１４ｂとを有する。
【００２４】
図７を参照すると、底側１１４ａは２対の弾性的な指部１１６ａ及び１１６ｂを含み、これらの指部はベース１１２の長手軸線の両端部に配置される。それぞれの対の弾性的な指部１１６ａ及び１１６ｂは円筒状の形状の構造を受け入れるようになっている。また、底側１１４ａは中央のソケット１１８を含む。中央のソケット１１８は切込み１２０を含み、この切込みは底側１１４ａの平面に対して垂直に延びている。
【００２５】
図８を参照すると、アダプタユニット１１０の上側１１４ｂは突起部を含み、これらの突起部は前記上側の長手縁部から外方に突出している。上側１１４ｂの一方の長手縁部の長さに沿って細長い突起部１２２が配置される。反対側の長手縁部には、一対の突起タブ１２４ａ及び１２４ｂが配置される。また、上側１１４ｂは一対の突起部１２８ａ及び１２８ｂを含み、これらの突起部は上側１１４ｂから突出して上側１１４ａの長手縁部に対して垂直に延びる。
【００２６】
図９及び図１０はひげ剃りかみそりを示したそれぞれ分解斜視図と組立斜視図とであって、図３乃至図６の実施形態に関連して前述した標準化されたかみそり刃キャリア３０と、図７及び図８に示したアダプタユニット１１０と、かみそりハンドル端部１５０とを含んでいる。図１１及び図１２は、同じひげ剃りかみそりを示した分解側面図である。
【００２７】
図９乃至図１２に示すように、かみそりハンドル端部１５０は２つのアーム１５４ａ及び１５４ｂに分岐して、これらはＶ字形を形成する。２つのアーム１５４ａ及び１５４ｂはそれらの外側端部にて橋部分１６２によって結合される。
アーム１５４ａ及び１５４ｂはそれらの端部にそれぞれ凹み１６０ａ及び１６０ｂを含む。凹み１６０ａ及び１６０ｂはそれぞれ円筒状の形状の部分１５６ａ及び１５６ｂを含む。橋部分１６２は中央の突出した舌部１５８を含み、その断面はＴ字形である。
【００２８】
アダプタユニット１１０の上側１１４ｂの突起部は図１乃至図６のアダプタユニット１０のものと同じであることがわかる。従ってアダプタユニット１１０は、アダプタユニット１０に関して説明したのと同じやり方で、標準化されたかみそり刃キャリア３０に係合して、それによりかみそりカートリッジを形成する。ハンドル端部１５０は、丸い部分１５６ａ及び１５６ｂを２対の弾性的な指部１１６ａ及び１１６ｂにスナップ結合させることで、アダプタユニット１１０と係合する。本発明の前述の実施形態と同様に、Ｔ字形の舌部１５８がソケット１１８の切込み１２０と協同して、かみそりハンドル端部１５０がアダプタユニット１０とひげを剃るための正しい向きになるように案内しながら舌部１５８はソケット１１８に収まる。好ましくは、ソケット１１８を舌部１５８よりもわずかに広くして、舌部１５８とソケット１１８との間に遊びをもたせる余地を残し、かみそりカートリッジが円筒形部分１６０ａ及び１６０ｂを中心として回動できるようにする。ソケット１１８と舌部１５８の間の遊びはアダプタユニット１１０とかみそり刃キャリア３０とによって形成されたかみそりカートリッジの回動範囲を定める。
【００２９】
図１３及び図１４は、本発明の第３の好ましい実施形態によるアダプタユニット２１０を示す斜視図である。アダプタユニット２１０は細長い略矩形のベース２１２を含み、このベースは底側２１４ａと上側２１４ｂとを有する。
【００３０】
図１３を参照すると、底側２１４ａは一対の案内構造２１６ａ及び２１６ｂを含み、これらの構造はベース２１２の長手軸線の両端部に配置される。案内構造２１６ａ及び２１６ｂは略矩形の構造であって中央の開口部分２２６ａ及び２２６ｂをそれぞれ備え、内壁には中央の開口に向ってテーパーが付けられている。また、底側２１４ａは一対のテーパーの付いた突起部２１５ａ及び２１５ｂを含み、これらの突起部は案内構造２１６ａと２１６ｂとの間に位置する。
【００３１】
図１４を参照すると、上側２１４ｂはその長手縁部から外方に突出している突起部を含む。上側２１４ｂの一方の長手縁部に沿って延びるように一対の細長い突起部２２２ａ及び２２２ｂが配置される。上側２１４ｂの反対側の長手縁部には、一対の突起タブ２２４ａ及び２２４ｂが配置される。また、上側２１４ｂは一対の突起部２２８ａ及び２２８ｂを含み、これらの突起部は上側から突出して上側２１４ｂの長手縁部に対して垂直に延びる。
【００３２】
図１５はひげ剃りかみそりを示した斜視図であって、標準化されたかみそり刃キャリア３０と、図１４に示したアダプタユニット２１０と、かみそりハンドル端部２５０とを含んでいる。図１５では、かみそり刃キャリア３０と係合した状態のアダプタユニット２１０を示している。アダプタユニット２１０をかみそり刃キャリア３０と係合するやり方は前述の２つのアダプタユニットの実施形態１０と１１０について説明したのと同じである。アダプタユニット２１０と標準化されたかみそり刃キャリア３０が係合されるとき、中央の開口２２６ａ及び２２６ｂは、標準化されたかみそり刃キャリア３０の支持構造４０ａ及び４０ｂの内壁上で、円筒状のシャフト４２ａ及び４２ｂ（図３及び図４参照）の開口と、それぞれ整合する。
【００３３】
かみそりハンドル端部２５０はメインケーシング２５５を含み、メインケーシング２５５の片端からは２つのアーム部材２５４ａ及び２５４ｂと中央のスプリング負荷の舌部２５８とが突出している。メインケーシング２５５の側部には２個のボタン２５３ａ及び２５３ｂが突出していて、アーム部材２５４ａ及び２５４ｂに結合されており、当業者において周知のやり方で、アーム部材を互いに内側へ向かって動かすことができる。アーム部材２５４ａ及び２５４ｂは、通常はメインケーシング２５５によって定められた距離にまでスプリングの緊張の下で互いに離間される。
【００３４】
アーム部材２５４ａ及び２５４ｂはそれぞれ外側へ延びている丸いピン２５６ａ及び２５６ｂを含んでいて、これらのピンはハンドル端部２５０のためのピボット軸を形成する。丸いピン２５６ａ及び２５６ｂの寸法は、これらのピンが標準化されたかみそり刃キャリア３０の円筒状のシャフト４２ａ及び４２ｂに収まるようになっていて、標準化されたかみそり刃キャリア３０とアダプタユニット２１０とによって形成されたかみそりカートリッジがハンドル端部２５０に対して回動することを可能にする。
【００３５】
かみそりカートリッジをハンドル端部２５０と係合するために、アーム部材２５４ａ及び２５４ｂはアダプタユニット２１０の案内構造２１６ａ及び２１６ｂに押込まれる。アーム部材２５４ａ及び２５４ｂが案内構造に２１６ａ及び２１６ｂに押込まれると、案内構造２１６ａ及び２１６ｂのテーパーの付いた壁が丸いピン２５６ａ及び２５６ｂが案内されて、かみそり刃キャリア３０の円筒状のシャフトの開口４２ａ及び４２ｂ（図３及び図４参照）にそれぞれ挿入される。
【００３６】
いったんハンドル端部２５０とかみそりカートリッジとが係合すると、中央のスプリング負荷の舌部２５８はアダプタユニット２１０の底側２１４ａと協同して、かみそりカートリッジを中立の休息位置に付勢する。かみそりカートリッジが回動したとき、中央の舌部２５８が底側２１４ａに当たってカム動作して、スプリング負荷の中央の舌部２５８をメインケーシング２５５の中へ圧縮する。かみそり刃キャリア３０への力が解放されると、圧縮されたスプリング負荷の中央の舌部２５８は、逆に、底側２１４ａに当たってかみそりカートリッジをその本来の休息位置に復帰させるように作用する。ピボット動作中には突起部２１５ａ及び２１５ｂによって中央の舌部２５８が左右に動くのを防ぐ。
【００３７】
本発明のアダプタユニットはプラスチックで構成されて、２プレートの射出成形プロセスで生産するのが好ましい。モールド型には機械的に作用しないコアピンを設けると良い。プラスチック材料はポリスチレンかＡＢＳのどちらかが好ましい。本発明のアダプタユニットと共に使用される、かみそり刃キャリアとハンドルとは、そのような部品を作るために当業者に周知であるような材料と工程のいずれによっても生産できる。
【００３８】
本発明についてある種の好ましい実施形態に関して説明したけれども、特許請求の範囲によって定義されている本発明の精神と範囲とから逸脱することのない様々な改変、代替、及び置換は当業者にとって知られまた明らかであろう。例えば、好ましい実施形態で説明したものは標準化されたかみそり刃キャリアに様々なハンドルデザインを取付けるように用いられていたけれども、本発明はまた、様々なかみそり刃キャリアに単一のハンドルデザインを取付けるのにも用いることができる。さらに、アダプタユニットの様々な実施形態は着脱可能で回動可能なかみそりハンドルに関して説明し図示したが、本発明のアダプタユニットは係合手段に適当な改変を加えれば、着脱不能で回動不能なかみそりハンドルと共に使用することもできる。また、アダプタユニットと標準化されたかみそり刃キャリアとの係合に関して突起部とタブの好ましい構成について説明したが、別の例として他の構成を使用してもよい。従って、図示して説明した好ましい実施形態はいかなる意味でも本発明の範囲を制限することを意図しているものではなく、発明の範囲は特許請求の範囲によって定義される。
【図面の簡単な説明】
【００３９】
【図１】図１は、本発明の好ましい実施形態によるアダプタユニットを示す斜視図である。
【図２】図２は、本発明の好ましい実施形態によるアダプタユニットを示す斜視図である。
【図３】図３は、図１及び図２に示した好ましい実施形態によるアダプタユニットを含む、ひげ剃りかみそりを示す分解斜視図である。
【図４】図４は、図１及び図２に示した好ましい実施形態によるアダプタユニットを含む、ひげ剃りかみそりを示す分解斜視図である。
【図５】図５は、図３及び図４のひげ剃りかみそりを示した斜視図であって、かみそり刃キャリアとアダプタユニットとハンドルとが係合している。
【図６】図６は、図３及び図４のひげ剃りかみそりを示した斜視図であって、かみそり刃キャリアとアダプタユニットとハンドルとが係合している。
【図７】図７は、本発明の他の好ましい実施形態によるアダプタユニットを示す斜視図である。
【図８】図８は、本発明の他の好ましい実施形態によるアダプタユニットを示す斜視図である。
【図９】図９は、図７及び図８に示した好ましい実施形態によるアダプタユニットを含む、ひげ剃りかみそりを示す分解斜視図である。
【図１０】図１０は、図９のひげ剃りかみそりを示した斜視図であって、かみそり刃キャリアとアダプタユニットとハンドルとが係合している。
【図１１】図１１は、図７及び図８の好ましい実施形態によるアダプタユニットを含む、ひげ剃りかみそりを示す分解側面図である。
【図１２】図１２は、図７及び図８の好ましい実施形態によるアダプタユニットを含む、ひげ剃りかみそりを示す分解側面図である。
【図１３】図１３は、本発明の別の好ましい実施形態によるアダプタユニットを示す斜視図である。
【図１４】図１４は、本発明の別の好ましい実施形態によるアダプタユニットを示す斜視図である。
【図１５】図１５は、図１３及び図１４に示した好ましい実施形態によるアダプタユニットを含む、ひげ剃りかみそりを示す分解斜視図である。
【図１】
2005040617.tif 000003
【図２】
2005040617.tif 000004
【図３】
2005040617.tif 000005
【図４】
2005040617.tif 000006
【図５】
2005040617.tif 000007
【図６】
2005040617.tif 000008
【図７】
2005040617.tif 000009
【図８】
2005040617.tif 000010
【図９】
2005040617.tif 000011
【図１０】
2005040617.tif 000012
【図１１】
2005040617.tif 000013
【図１２】
2005040617.tif 000014
【図１３】
2005040617.tif 000015
【図１４】
2005040617.tif 000016
【図１５】
2005040617.tif 000017